(57)【要約】【課題】バージンシール等の別部材を必要としない包装容器を提供する。【解決手段】上面開口部１ａを有し、この上面開口部１ａの一側部から折り曲げ自在に延設された蓋板４で上記上面開口部１ａを蓋するようにしたクリアケース１であって、上記上面開口部１ａの他側部から上側突片９が折り曲げ自在に延設され、この上側突片９の内側面に接着剤層２１を設け、上記蓋板４を折り曲げて上記上面開口部１ａを蓋した状態で、上記上側突片９を折り曲げてこの上側突片９の接着剤層２１を蓋板４に接着させ、上記蓋板４から上側突片９を剥がす際に、上記接着剤層２１の接着力により上記接着剤層２１に対応する上記蓋板４もしくは上側突片９の部分を蓋板４もしくは上側突片９から剥がし、再度の接着を不可能にしている。【選択図】図１
2005008269.tif 000002
【特許請求の範囲】
【請求項１】
上面開口部を有し、この上面開口部の一側部から折り曲げ自在に延設された蓋板で上記上面開口部を蓋するようにした包装容器であって、上記上面開口部の他側部から突片が折り曲げ自在に延設され、この突片の内側面に接着剤層を設け、上記蓋板を折り曲げて上記上面開口部を蓋した状態で、上記突片を折り曲げてこの突片の接着剤層を蓋板に接着させ、上記蓋板から突片を剥がす際に、上記接着剤層の接着力により上記接着剤層に対応する上記蓋板もしくは突片の部分を上記蓋板もしくは突片から剥がし、再度の接着を不可能にしたことを特徴とする包装容器。
【請求項２】
上記突片の接着剤層に対応する上記蓋板の外側面の部分に剥離剤層を設け、上記蓋板を折り曲げて上記上面開口部を蓋した状態で、上記突片を折り曲げてこの突片の接着剤層を蓋板の剥離剤層に接着させ、上記蓋板から突片を剥がす際に、上記接着剤層の接着力により剥離剤層を蓋板の外側面から剥離させ、再度の接着を不可能にした請求項１記載の包装容器。
【請求項３】
上記突片の接着剤層に対応する上記蓋板の部分を、上記蓋板の他の部分から切離可能に構成し、上記蓋板を折り曲げて上記上面開口部を蓋した状態で、上記突片を折り曲げてこの突片の接着剤層を上記蓋板の切離可能な部分に接着させ、上記蓋板から突片を剥がす際に、上記接着剤層の接着力により上記蓋板の切離可能な部分を上記蓋板から切離させ、再度の接着を不可能にした請求項１記載の包装容器。
【請求項４】
上記接着剤層を設けた上記突片の部分を、上記突片の他の部分から切離可能に構成し、上記蓋板を折り曲げて上記上面開口部を蓋した状態で、上記突片を折り曲げてこの突片の接着剤層を上記蓋板に接着させ、上記蓋板から突片を剥がす際に、上記接着剤層の接着力により上記突片の切離可能な部分を上記突片から切離させ、再度の接着を不可能にした請求項１記載の包装容器。
【請求項５】
上記上面開口部の他側部から吊り下げ用板体が延設され、この吊り下げ用板体の一部が切り欠き形成され、この切り欠き部で囲まれた部分が突片となっている請求項１〜４のいずれか一項に記載の包装容器。
【発明の詳細な説明】
【０００１】
【発明の属する技術分野】
本発明は、改ざん防止手段を有する包装容器に関するものである。
【０００２】
【従来の技術】
従来から、各種の透明プラスチックシート製の包装容器は、折り曲げ用罫線３２が形成された透明なプラスチックシート３１（図３１参照）を用い、これを上記折り曲げ用罫線３２に沿って折り曲げ加工等することにより作製されている。そして、作製された包装容器３３（図３２参照）は、内部に化粧品等の各種製品（図示せず）を収容した状態で、店頭等で陳列，販売されている。
【０００３】
このような包装容器３３は、その上面開口部３３ａを蓋する蓋板３４（図３２参照）が開閉自在になっているため、店頭等で内部の製品が包装容器３３から取り出されて万引きされる等盗まれた場合にも、万引きした者等が、閉蓋状態の蓋板３４を開けて内部の製品を取り出したのち、再度蓋板３４を閉蓋しておくと、遠くから見ただけでは、通常の状態（蓋板３４が閉蓋されている状態）と変わらないため、内部の製品が盗まれたか、どうかが判らない。そこで、上記の包装容器３３に改ざん防止手段を設けることがよく行われている。この改ざん防止手段としては、例えば、図３３に示すように、包装容器３３の蓋板３４をバージンシール３５で接着，固定する方法や、包装容器３３の全体をシュリンク包装する方法が行われている。
【０００４】
【発明が解決しようとする課題】
しかしながら、上の方法では、別部材として、バージンシール３５やシュリンク包装用の熱収縮性フィルムを必要とし、部品点数が多くなり、在庫管理等が複雑化する。
【０００５】
本発明は、このような事情に鑑みなされたもので、バージンシール等の別部材を必要としない包装容器の提供をその目的とする。
【０００６】
【課題を解決するための手段】
上記の目的を達成するため、本発明の包装容器は、上面開口部を有し、この上面開口部の一側部から折り曲げ自在に延設された蓋板で上記上面開口部を蓋するようにした包装容器であって、上記上面開口部の他側部から突片が折り曲げ自在に延設され、この突片の内側面に接着剤層を設け、上記蓋板を折り曲げて上記上面開口部を蓋した状態で、上記突片を折り曲げてこの突片の接着剤層を蓋板に接着させ、上記蓋板から突片を剥がす際に、上記接着剤層の接着力により上記接着剤層に対応する上記蓋板もしくは突片の部分を上記蓋板もしくは突片から剥がし、再度の接着を不可能にしたという構成をとる。
【０００７】
すなわち、本発明の包装容器は、包装容器の上面開口部の一側部から折り曲げ自在に延設された蓋板を折り曲げて上記上面開口部を蓋した状態で、上記上面開口部の他側部から折り曲げ自在に延設された突片を折り曲げて、この突片の内側面に設けた接着剤層を、蓋板に接着させるようにしている。そして、上記蓋板から突片を剥がす際に、上記接着剤層の接着力により上記接着剤層に対応する上記蓋板もしくは突片の部分を上記蓋板もしくは突片から剥がし、これにより、再度の接着を不可能にしている。このようにして得られた包装容器は、搬送時等には、突片の接着剤層が蓋板に接着しているため、剥がれることがなく、蓋板は開蓋しない。しかも、内部の製品が万引きされる等盗まれた場合にも、万引きした者等が蓋板から突片を剥がす必要があるが、この突片は一度蓋板から剥がされると、再度蓋板に接着しない。このため、上記突片が起立もしくは傾斜した状態になり、遠くからでも判り、すぐに製品の盗難等が発見できる。しかも、包装容器の上面開口部の他側部から折り曲げ自在に延設された突片を設け、これを改ざん防止手段として利用しているため、バージンシール等の別部材を必要としない。
【０００８】
本発明において、上記突片の接着剤層に対応する上記蓋板の外側面の部分に剥離剤層を設け、上記蓋板を折り曲げて上記上面開口部を蓋した状態で、上記突片を折り曲げてこの突片の接着剤層を蓋板の剥離剤層に接着させ、上記蓋板から突片を剥がす際に、上記接着剤層の接着力により剥離剤層を蓋板の外側面から剥離させ、再度の接着を不可能にした場合には、上記蓋板の外側面から剥離させた剥離剤層が、上記接着剤層の表面に接着していて、上記接着剤層の表面がべたついていないため、上記接着剤層を蓋板の外側面に再度接着させようとしても、接着しない。しかも、このものでは、蓋板に切り目を形成する等、蓋板自体を加工する必要がないため、本発明の包装容器を作製するために用いられる罫線入りプラスチックシートの成形型として、従来のものを使用することができる。
【０００９】
本発明において、上記突片の接着剤層に対応する上記蓋板の部分を、上記蓋板の他の部分から切離可能に構成し、上記蓋板を折り曲げて上記上面開口部を蓋した状態で、上記突片を折り曲げてこの突片の接着剤層を上記蓋板の切離可能な部分に接着させ、上記蓋板から突片を剥がす際に、上記接着剤層の接着力により上記蓋板の切離可能な部分を上記蓋板から切離させ、再度の接着を不可能にした場合には、上記蓋板から切離させた、上記蓋板の切離可能な部分が、上記接着剤層の表面に接着しているため、上記接着剤層を蓋板に再度接着させようとしても、接着しない。しかも、このものでは、上記蓋板から突片を剥がすと、突片の接着剤層に、上記蓋板の切離可能な部分が接着しているため、遠くからでも非常に判りやすく、すぐに製品の盗難等が発見できる。
【００１０】
本発明において、上記接着剤層を設けた上記突片の部分を、上記突片の他の部分から切離可能に構成し、上記蓋板を折り曲げて上記上面開口部を蓋した状態で、上記突片を折り曲げてこの突片の接着剤層を上記蓋板に接着させ、上記蓋板から突片を剥がす際に、上記接着剤層の接着力により上記突片の切離可能な部分を上記突片から切離させ、再度の接着を不可能にした場合には、上記突片から切離させた、上記突片の切離可能な部分が、上記接着剤層の表面に接着しているため、上記接着剤層を突片に再度接着させようとしても、接着しない。しかも、このものでは、上記蓋板から突片を剥がすと、蓋板の接着剤層に、上記突片の切離可能な部分が接着しているため、遠くからでも非常に判りやすく、すぐに製品の盗難等が発見できる。
【００１１】
本発明において、上記上面開口部の他側部から吊り下げ用板体が延設され、この吊り下げ用板体の一部が切り欠き形成され、この切り欠き部で囲まれた部分が突片となっている場合には、吊り下げ用板体の一部を突片に利用しているため、吊り下げ可能にした場合にも、バージンシール等の別部材を必要としない。
【００１２】
【発明の実施の形態】
つぎに、本発明の実施の形態を図面にもとづいて説明するが、本発明の包装容器の形状は、以下に例示するものに限定されるものではない。
【００１３】
図１は本発明の包装容器の一実施の形態を示している。この実施の形態では、包装容器として、透明なポリエチレンテレフタレート（ＰＥＴ）製のクリアケース１が用いられている。図において、４はクリアケース１の上面開口部１ａの一側部（正面側部分であり、後述する罫線入りプラスチックシート１７の正面板３の上面）から折り曲げ自在に延設された蓋板であり、上記上面開口部１ａを開閉自在に蓋している。この蓋板４には、その上面（閉蓋状態にあるときに、上面となる面）の略中央部分に、ワニスをオフセット印刷（この実施の形態では、ベタ印刷する）することにより設けた略円形の剥離剤層２０（図１では、図示せず。図４参照）が形成されている。９はクリアケース１の上面開口部１ａの他側部（背面側部分であり、上記罫線入りプラスチックシート１７の背面板８の上面）から折り曲げ自在に延設された上側突片であり（図２参照）、その下面（蓋板４側に折り曲げたときに、下面となる面）には、上記剥離剤層２０に対応する部分に、ホットメルト接着剤を塗布することにより設けた略円形の接着剤層２１が形成されている。この実施の形態では、上記接着剤層２１は剥離剤層２０よりやや小径に形成されている。
【００１４】
そして、閉蓋状態にある蓋板４の剥離剤層２０に、折り曲げた上側突片９の接着剤層２１が接着，固定されており、これにより、蓋板４が閉蓋状態に保持されている（図２参照）。また、この閉蓋状態から、上側突片９の先端部分を引き上げるようにして上側突片９を上方に回動させると、剥離剤層２０が接着剤層２１の接着力により、接着剤層２１に接着したまま接着剤層２１と一緒に引き上げられ、蓋板４の上面から剥離する（図３参照）。そののち、再度、上側突片９を折り曲げて接着剤層２１を蓋板４の上面に接着しようとしても、接着剤層２１の下面に剥離剤層２０があり、接着剤層２１の下面がべたついていないため、接着しない。したがって、上側突片９は、それ自身の弾性力により上方に回動し、起立姿勢もしくは斜め上向きの傾斜姿勢になる。
【００１５】
上記クリアケース１は、図４に示すような、罫線入りプラスチックシート１７を用い、作製されている。この罫線入りプラスチックシート１７は、この実施の形態では、厚み３００μｍの透明なＰＥＴシートを用いており、複数本の折り曲げ用罫線１８が形成されている。そして、これら各折り曲げ用罫線１８により、上記罫線入りプラスチックシート１７に、正面板３、この正面板３の上面から延設される蓋板４、上記正面板３の下面から延設される底板５、上記正面板３の左右両側面から延設される左右両側板６，７、一方の側板７の一側面から延設される背面板８、この背面板８の上面から延設される上側突片９、および上記背面板８の下面から延設される下側突片１０が区画，形成されている。また、上記罫線入りプラスチックシート１７の内側面（組み立てたときに、内側面となる面）に各種の商品名，広告等の印刷がオフセット印刷により施されており、上記蓋板４の外側面（組み立てたときに、外側面となる面であって、閉蓋状態にあるときに、上面となる面）の略中央部分に、剥離の際のピール性を調整するために、ワニスからなる略円形の剥離剤層２０がオフセット印刷により形成されている。図において、１１〜１４は上記左右両側板６，７の上面および下面から延設される折り曲げ板であり、１５は上記背面板８の一側面から延設される接着用折り返し板である。なお、上記罫線入りプラスチックシート１７の成形型としては、従来使用されている通常のものが使用される。
【００１６】
上記罫線入りプラスチックシート１７を用い、例えば、つぎのようにしてクリアケース１を作製することができる。まず、組立ラインにより、罫線入りプラスチックシート１７を、その各折り曲げ用罫線１８に沿って折り曲げる。この組立ラインの途中では、例えば、図５に示すように、罫線入りプラスチックシート１７は四角形筒状体に折り曲げられており、接着用折り返し板１５が他方の側板６に接着されている。また、折り曲げ板１２，１４が折り曲げられており、さらにその下側に底板５が折り曲げられて下側開口部１ｂが閉蓋されている。つぎに、内部に化粧品等の製品を収容したのち、折り曲げ板１１，１３を折り曲げ、さらにその上側に蓋板４を折り曲げて、上側開口部１ａ（図１参照）を閉蓋する（図６参照）。
【００１７】
つぎに、上側突片９の下面（組み立てたときに、内側面となる面であって、蓋板４側に折り曲げたときに、下面となる面）および下側突片１０の上面（組み立てたときに、内側面となる面であって、底板５側に折り曲げたときに、上面となる面）にそれぞれ、ホットメルト接着剤を噴射ガン等で吹き付ける等して塗布することにより、接着剤層２１，２２を設ける（図７参照）。そののち、上側突片９を蓋板４の上面に折り曲げて上側突片９の接着剤層２１を蓋板４の剥離剤層２０に圧着させる（図２参照）。また、下側突片１０を底板５の下面に折り曲げて下側突片１０の接着剤層２２を底板５の下面に圧着させる（図８参照）ことを行う。このようにして、組立ラインにより、クリアケース１を作製することができる。なお、上記の組立ライン外において、ホットメルト接着剤の吹き付け作業等を行ってもよい。
【００１８】
上記のように、この実施の形態では、上側突片９の接着剤層２０が蓋板４の剥離剤層２１に接着されているため、組立ラインで作製されたのち、搬送中等、店頭等に搬入されて陳列，販売されるまでの間に、蓋板４が開蓋しない。しかも、内部の製品を万引き等しようとすると、上側突片９を蓋板４から剥がして開蓋する必要があるが、この上側突片９は一度蓋板４から剥がすと、再度蓋板４に接着させることができないため、垂直姿勢もしくは傾斜姿勢に保持される。したがって、遠くから見るだけで、開蓋したことが判り、盗難の早期発見等に非常に役立つ。しかも、罫線入りプラスチックシート１７以外に、バージンシール等の別部材を必要としない。
【００１９】
上記罫線入りプラスチックシート１７の材料としては、各種のプラスチックが用いられ、好ましくは、Ａ−ＰＥＴ，再生ＰＥＴ，ＰＰ，ＰＳ，ＰＶＣ等のプラスチックが用いられる。このようなプラスチックは、透明のものが好ましいが、乳白色のものや、マット調のものでもよく、不透明であってもよい。また、上記罫線入りプラスチックシート１７の厚みは、１００〜１０００μｍに設定され、好ましくは、２００〜４００μｍに設定されている。
【００２０】
上記剥離剤層２０を形成する方法としては、ワニス等の塗料や各種印刷インキ等をオフセット印刷等により塗布する方法等があげられる。また、上記剥離剤層２０は、接着性を調整するために、べた印刷（全面印刷）により形成したり（図９参照）、ストライプ印刷により形成したり（図１０参照）することができる。また、ストライプ印刷の場合に、形成される１本もしくは複数本の筋状隙間２０ａ（剥離剤層２０中の未塗布部分であり、罫線入りプラスチックシート１７の表面が露呈する部分）（図１０参照）の本数，横幅や筋状隙間２０ａ同士の間隔等は、消費者が開封しやすいこと、もしくは、流通中に剥がれないこと等を考慮して、適宜選択することができる。
【００２１】
上記接着剤層２１，２２を構成する接着剤としては、各種の接着剤が用いられるが、好ましくは、ＥＶＡ系ホットメルト接着剤が用いられる。また、ゴム系接着剤でもよい。このような接着剤層２１，２２は、噴射ガン等で吹き付ける等して塗布することができる。
【００２２】
図１１は本発明の包装容器の他の実施の形態を示している。図において、２５はクリアケース１の上面開口部１ａの他側部（背面側部分）から延設された吊り下げ用板体であり、この吊り下げ用板体２５の下端縁部からＵ字状の切り欠き部２５ａが、そのＵ字の開口を下向きにした状態で、切り欠き形成されている。そして、この切り欠き部２５ａで囲まれた部分で上側突片９が構成されており、吊り下げ用板体２５の下端縁部で折り曲げ自在になっている。図において、２６は吊り下げ用板体２５に穿設された吊り下げ用穴である。それ以外の部分は上記実施の形態のクリアケース１と同様であり、同様の部分には同じ符号を付している。この実施の形態でも、上記実施の形態と同様の作用・効果を奏する。しかも、吊り下げ用板体２５の一部が上側突片９に利用されているため、クリアケース１を吊り下げ可能にした場合にも、罫線入りプラスチックシート１７以外に、バージンシール等の別部材を必要としない。
【００２３】
上記のクリアケース１は、図１２に示すような、罫線入りプラスチックシート１７を用い、作製されている。この罫線入りプラスチックシート１７には、背面板８の上面から吊り下げ用板体２５が延設されており、この吊り下げ用板体２５には、背面板８の上面から、Ｕ字状の切断線からなる切り欠き部２５ａが、そのＵ字の開口を下向きにした状態で、切り欠き形成されている。そして、この切り欠き部２５ａで囲まれた部分で上側突片９が構成されている。それ以外の部分は上記実施の形態の罫線入りプラスチックシート１７と同様であり、同様の部分には同じ符号を付している。
【００２４】
図１３は本発明の包装容器のさらに他の実施の形態を示している。この実施の形態のクリアケース１では、図１〜図１０に示す実施の形態において、蓋板４の上面に剥離剤層２０を形成するのに代えて、蓋板４の略中央部分に略四角形状の切り目２７ａを形成し、この切り目２７ａで囲まれた上記蓋板４の部分を、上記蓋板４の他の部分から切離可能な切離部分２７に形成している（図１７参照）。なお、図１７において、切離部分２７の形状は略四角形状であるが、円形状，楕円形状，多角形状等任意の形状に形成することができる。後述する各切離部分２７，２９についても、同様である。このような切離部分２７を上記蓋板４から一度切離すると、この切離部分２７が切離された上記蓋板４の部分に、（上側突片９の接着剤層２１に接着した）切離部分２７（図１６参照）を位置合わせして押し込む等しても、再度上記蓋板４に一体的に固定することができない。それ以外の部分は、図１〜図１０に示す実施の形態と同様であり、同様の部分には同じ符号を付している。
【００２５】
このような本発明の包装容器では、閉蓋状態にある蓋板４の切離部分２７に、折り曲げた上側突片９の接着剤層２１が接着，固定されており、これにより、蓋板４が閉蓋状態に保持されている（図１４参照）。また、この閉蓋状態から、上側突片９の先端部分を引き上げるようにして上側突片９を上方に回動させると、蓋板４の切離部分２７が接着剤層２１の接着力により、接着剤層２１に接着したまま接着剤層２１と一緒に引き上げられ、蓋板４から切り離されて剥がれる（図１５および図１６参照）。そののち、再度、上側突片９を折り曲げて蓋板４に接着しようとしても、接着剤層２１の下面に切離部分２７があるため、接着しない。したがって、上側突片９は、それ自身の弾性力により上方に回動し、起立姿勢もしくは斜め上向きの傾斜姿勢になる。
【００２６】
上記クリアケース１は、図１７に示すような、罫線入りプラスチックシート２８を用い、作製されている。この罫線入りプラスチックシート２８は、図４に示す罫線入りプラスチックシート１７において、上記蓋板４に剥離剤層２０を形成するのに代えて、蓋板４の略中央部分に、略四角形状の切り目２７ａを形成し、この切り目２７ａで囲まれた上記蓋板４の部分を切離部分２７に形成している。それ以外の部分は、図４に示す罫線入りプラスチックシート１７と同様であり、同様の部分には同じ符号を付している。
【００２７】
上記罫線入りプラスチックシート２８を用い、例えば、つぎのようにしてクリアケース１を作製することができる。まず、組立ラインにより、罫線入りプラスチックシート２８を、図１〜図１０に示す実施の形態と同様にして、折り曲げる（図１８参照）。また、この組立ラインの途中で、折り曲げた罫線入りプラスチックシート２８の内部に化粧品等の製品を収容する。
【００２８】
つぎに、上側突片９の下面（組み立てたときに、内側面となる面であって、蓋板４側に折り曲げたときに、下面となる面）および下側突片１０の上面（組み立てたときに、内側面となる面であって、底板５側に折り曲げたときに、上面となる面）にそれぞれ、ホットメルト接着剤を噴射ガン等で吹き付ける等して塗布することにより、接着剤層２１，２２を設ける（図１９参照）。そののち、上側突片９を蓋板４の上面に折り曲げて上側突片９の接着剤層２１を蓋板４の切離部分２７に圧着させる（図１３参照）。また、下側突片１０を底板５の下面に折り曲げて下側突片１０の接着剤層２２を底板５の下面に圧着させることを行う。このようにして、組立ラインにより、クリアケース１を作製することができる。
【００２９】
上記のように、この実施の形態では、上側突片９の接着剤層２０が蓋板４の切離部分２７に接着されているため、組立ラインで作製されたのち、搬送中等、店頭等に搬入されて陳列，販売されるまでの間に、蓋板４が開蓋しない。しかも、内部の製品を万引き等しようとすると、上側突片９を蓋板４から剥がして開蓋する必要があるが、この上側突片９は一度蓋板４から剥がすと、再度蓋板４に接着，固定させることができないため、垂直姿勢もしくは傾斜姿勢に保持される。したがって、遠くから見るだけで、開蓋したことが判り、盗難の早期発見等に非常に役立つ。このとき、上側突片９に切離部分２７が接着しているため、非常に判りやすい。しかも、罫線入りプラスチックシート２８以外に、バージンシール等の別部材を必要としない。
【００３０】
図２０は本発明の包装容器のさらに他の実施の形態を示している。この実施の形態のクリアケース１では、図１１および図１２に示す実施の形態において、蓋板４の上面に剥離剤層２０を形成するのに代えて、蓋板４の略中央部分に略四角形状の切り目２７ａを形成し、この切り目２７ａで囲まれた上記蓋板４の部分を、上記蓋板４の他の部分から切離可能な切離部分２７に形成している（図２１参照）。この切離部分２７を上記蓋板４から一度切離すると、この切離部分２７が切離された上記蓋板４の部分に、上記切離部分２７を位置合わせして押し込む等しても、再度上記蓋板４に一体的に固定することができない。それ以外の部分は、図１１および図１２に示す実施の形態と同様であり、同様の部分には同じ符号を付している。この実施の形態でも、図１１および図１２に示す実施の形態と同様の作用・効果を奏する。しかも、上側突片９に切離部分２７が接着しているため、開蓋していることが非常に判りやすい。
【００３１】
上記のクリアケース１は、図２１に示すような、罫線入りプラスチックシート２８を用い、作製されている。この罫線入りプラスチックシート２８は、図１２に示す罫線入りプラスチックシート１７において、上記蓋板４に剥離剤層２０を形成するのに代えて、蓋板４の略中央部分に、略四角形状の切り目２７ａを形成し、この切り目２７ａで囲まれた上記蓋板４の部分を切離部分２７に形成している。それ以外の部分は、図１２に示す罫線入りプラスチックシート１７と同様であり、同様の部分には同じ符号を付している。
【００３２】
図２２は本発明の包装容器のさらに他の実施の形態を示している。この実施の形態のクリアケース１では、図１〜図１０に示す実施の形態において、蓋板４の上面に剥離剤層２０を形成するのに代えて、上側突片９の略中央部分に略四角形状の切り目２９ａを形成し、この切り目２９ａで囲まれた上記上側突片９の部分を、上記上側突片９の他の部分から切離可能な切離部分２９に形成している（図２６参照）。この切離部分２９を上記上側突片９から一度切離すると、この切離部分２９が切離された上記上側突片９の部分を、（蓋板４の接着剤層２１に接着した）切離部分２９に位置合わせして押し込む等しても、再度上記蓋板４に一体的に固定することができない。それ以外の部分は、図１〜図１０に示す実施の形態と同様であり、同様の部分には同じ符号を付している。
【００３３】
このような本発明の包装容器では、閉蓋状態にある蓋板４に、折り曲げた上側突片９の接着剤層２１が接着，固定されており、これにより、蓋板４が閉蓋状態に保持されている（図２３参照）。また、この閉蓋状態から、上側突片９の先端部分を引き上げるようにして上側突片９を上方に回動させると、上側突片９の切離部分２９が接着剤層２１の接着力により、接着剤層２１に接着したまま接着剤層２１と一緒に蓋板４上に残り、上側突片９から切り離されて剥がれる（図２４および図２５参照）。そののち、再度、上側突片９を折り曲げて蓋板４に接着しようとしても、接着剤層２１の上面に切離部分２９があるため、接着しない。したがって、上側突片９は、それ自身の弾性力により上方に回動し、起立姿勢もしくは斜め上向きの傾斜姿勢になる。
【００３４】
上記クリアケース１は、図２６に示すような、罫線入りプラスチックシート３０を用い、作製されている。この罫線入りプラスチックシート３０は、図４に示す罫線入りプラスチックシート１７において、上記蓋板４に剥離剤層２０を形成するのに代えて、上側突片９の略中央部分に、略四角形状の切り目２９ａを形成し、この切り目２９ａで囲まれた上記上側突片９の部分を切離部分２９に形成している。それ以外の部分は、図４に示す罫線入りプラスチックシート１７と同様であり、同様の部分には同じ符号を付している。
【００３５】
上記罫線入りプラスチックシート３０を用い、例えば、つぎのようにしてクリアケース１を作製することができる。まず、組立ラインにより、罫線入りプラスチックシート３０を、図１〜図１０に示す実施の形態と同様にして、折り曲げる（図２７参照）。また、この組立ラインの途中で、折り曲げた罫線入りプラスチックシート３０の内部に化粧品等の製品を収容する。
【００３６】
つぎに、上側突片９の切離部分２９の下面（組み立てたときに、内側面となる面であって、蓋板４側に折り曲げたときに、下面となる面）および下側突片１０の上面（組み立てたときに、内側面となる面であって、底板５側に折り曲げたときに、上面となる面）にそれぞれ、ホットメルト接着剤を噴射ガン等で吹き付ける等して塗布することにより、接着剤層２１，２２を設ける（図２８参照）。そののち、上側突片９を蓋板４の上面に折り曲げて上側突片９の接着剤層２１を蓋板４に圧着させる（図２２参照）。また、下側突片１０を底板５の下面に折り曲げて下側突片１０の接着剤層２２を底板５の下面に圧着させることを行う。このようにして、組立ラインにより、クリアケース１を作製することができる。
【００３７】
上記のように、この実施の形態では、上側突片９の接着剤層２１が蓋板４に接着されているため、組立ラインで作製されたのち、搬送中等、店頭等に搬入されて陳列，販売されるまでの間に、蓋板４が開蓋しない。しかも、内部の製品を万引き等しようとすると、上側突片９を蓋板４から剥がして開蓋する必要があるが、この上側突片９は一度蓋板４から剥がすと、再度蓋板４に接着，固定させることができないため、垂直姿勢もしくは傾斜姿勢に保持される。したがって、遠くから見るだけで、開蓋したことが判り、盗難の早期発見等に非常に役立つ。このとき、蓋板４に切離部分２９が接着しているため、非常に判りやすい。しかも、罫線入りプラスチックシート３０以外に、バージンシール等の別部材を必要としない。
【００３８】
図２９は本発明の包装容器のさらに他の実施の形態を示している。この実施の形態のクリアケース１では、図１１および図１２に示す実施の形態において、蓋板４の上面に剥離剤層２０を形成するのに代えて、上側突片９の略中央部分に略四角形状の切り目２９ａを形成し、この切り目２９ａで囲まれた上記上側突片９の部分を、上記上側突片９の他の部分から切離可能な切離部分２９に形成している（図３０参照）。この切離部分２９を上記上側突片９から一度切離すると、この切離部分２９が切離された上記上側突片９の部分を、蓋板４上の切離部分２９を位置合わせして押し込む等しても、再度上記蓋板４に一体的に固定することができない。それ以外の部分は、図１１および図１２に示す実施の形態と同様であり、同様の部分には同じ符号を付している。この実施の形態でも、図１１および図１２に示す実施の形態と同様の作用・効果を奏する。しかも、蓋板４に切離部分２９が接着しているため、開蓋していることが非常に判りやすい。
【００３９】
上記のクリアケース１は、図３０に示すような、罫線入りプラスチックシート３０を用い、作製されている。この罫線入りプラスチックシート３０は、図１２に示す罫線入りプラスチックシート１７において、上記蓋板４に剥離剤層２０を形成するのに代えて、上側突片９の略中央部分に、略四角形状の切り目２９ａを形成し、この切り目２９ａで囲まれた上記上側突片９の部分を切離部分２９に形成している。それ以外の部分は、図１２に示す罫線入りプラスチックシート１７と同様であり、同様の部分には同じ符号を付している。
【００４０】
なお、上記各実施の形態では、クリアケース１の上面開口部１ａの背面側部分から上側突片９を延設しているが、これに限定するものではなく、上記上面開口部１ａの左右両側部分から延設する折り曲げ板１１，１３の一方を省略し、これに代えて、上側突片９を延設してもよい。また、上記各実施の形態では、クリアケース１の下面開口部１ｂを底板５で開閉自在に蓋しているが、上記下面開口部１ｂを閉塞してもよい。また、罫線入りプラスチックシート１７，２８，３０に代えて、罫線入り紙製シートを用いてもよい。
【００４１】
また、図１３〜図１９に示す実施の形態、図２０，図２１に示す実施の形態、図２２〜図２８に示す実施の形態および図２９，図３０に示す実施の形態では、蓋板４もしくは上側突片９に切り目２７ａ，２９ａを形成することにより切離部分２７，２９を設けているが、ハーフカット，ミシン目等、切り目２７ａ，２９ａ以外の各種手段により、切離部分２７，２９を形成してもよい。
【００４２】
【発明の効果】
以上のように、本発明の包装容器によれば、搬送時等には、突片の接着剤層が蓋板に接着しているため、剥がれることがなく、蓋板は開蓋しない。しかも、内部の製品が万引きされる等盗まれた場合にも、万引きした者等が蓋板から突片を剥がす必要があるが、この突片は一度蓋板から剥がされると、再度蓋板に接着しないため、上記突片が起立もしくは傾斜した状態になり、遠くからでも判り、すぐに製品の盗難等が発見できる。しかも、包装容器の上面開口部の他側部から折り曲げ自在に延設された突片を設け、これを改ざん防止手段として利用しているため、バージンシール等の別部材を必要としない。
【００４３】
本発明において、上記突片の接着剤層に対応する上記蓋板の外側面の部分に剥離剤層を設け、上記蓋板を折り曲げて上記上面開口部を蓋した状態で、上記突片を折り曲げてこの突片の接着剤層を蓋板の剥離剤層に接着させ、上記蓋板から突片を剥がす際に、上記接着剤層の接着力により剥離剤層を蓋板の外側面から剥離させ、再度の接着を不可能にした場合には、上記蓋板の外側面から剥離させた剥離剤層が、上記接着剤層の表面に接着していて、上記接着剤層の表面がべたついていないため、上記接着剤層を蓋板の外側面に再度接着させようとしても、接着しない。しかも、このものでは、蓋板に切り目を形成する等、蓋板自体を加工する必要がないため、本発明の包装容器を作製するために用いられる罫線入りプラスチックシートの成形型として、従来のものを使用することができる。
【００４４】
本発明において、上記突片の接着剤層に対応する上記蓋板の部分を、上記蓋板の他の部分から切離可能に構成し、上記蓋板を折り曲げて上記上面開口部を蓋した状態で、上記突片を折り曲げてこの突片の接着剤層を上記蓋板の切離可能な部分に接着させ、上記蓋板から突片を剥がす際に、上記接着剤層の接着力により上記蓋板の切離可能な部分を上記蓋板から切離させ、再度の接着を不可能にした場合には、上記蓋板から切離させた、上記蓋板の切離可能な部分が、上記接着剤層の表面に接着しているため、上記接着剤層を蓋板に再度接着させようとしても、接着しない。しかも、このものでは、上記蓋板から突片を剥がすと、突片の接着剤層に、上記蓋板の切離可能な部分が接着しているため、遠くからでも非常に判りやすく、すぐに製品の盗難等が発見できる。
【００４５】
本発明において、上記接着剤層を設けた上記突片の部分を、上記突片の他の部分から切離可能に構成し、上記蓋板を折り曲げて上記上面開口部を蓋した状態で、上記突片を折り曲げてこの突片の接着剤層を上記蓋板に接着させ、上記蓋板から突片を剥がす際に、上記接着剤層の接着力により上記突片の切離可能な部分を上記突片から切離させ、再度の接着を不可能にした場合には、上記突片から切離させた、上記突片の切離可能な部分が、上記接着剤層の表面に接着しているため、上記接着剤層を突片に再度接着させようとしても、接着しない。しかも、このものでは、上記蓋板から突片を剥がすと、蓋板の接着剤層に、上記突片の切離可能な部分が接着しているため、遠くからでも非常に判りやすく、すぐに製品の盗難等が発見できる。
【００４６】
本発明において、上記上面開口部の他側部から吊り下げ用板体が延設され、この吊り下げ用板体の一部が切り欠き形成され、この切り欠き部で囲まれた部分が突片となっている場合には、吊り下げ用板体の一部を突片に利用しているため、吊り下げ可能にした場合にも、バージンシール等の別部材を必要としない。
【図面の簡単な説明】
【図１】本発明の包装容器の一実施の形態を示す斜視図である。
【図２】上記包装容器の要部の断面図である。
【図３】上記包装容器の作用を示す断面図である。
【図４】罫線入りプラスチックシートを示す平面図である。
【図５】上記包装容器の作製要領を示す斜視図である。
【図６】上記包装容器の作製要領を示す斜視図である。
【図７】上記包装容器の作製要領を示す斜視図である。
【図８】上記包装容器の要部の断面図である。
【図９】剥離剤層の一例を示す説明図である。
【図１０】上記剥離剤層の他の例を示す説明図である。
【図１１】本発明の包装容器の他の実施の形態を示す斜視図である。
【図１２】罫線入りプラスチックシートを示す平面図である。
【図１３】本発明の包装容器のさらに他の実施の形態を示す斜視図である。
【図１４】上記包装容器の要部の断面図である。
【図１５】上記包装容器の作用を示す断面図である。
【図１６】上記包装容器の作用を示す斜視図である。
【図１７】罫線入りプラスチックシートを示す平面図である。
【図１８】上記包装容器の作製要領を示す斜視図である。
【図１９】上記包装容器の作製要領を示す斜視図である。
【図２０】本発明の包装容器のさらに他の実施の形態を示す斜視図である。
【図２１】罫線入りプラスチックシートを示す平面図である。
【図２２】本発明の包装容器のさらに他の実施の形態を示す斜視図である。
【図２３】上記包装容器の要部の断面図である。
【図２４】上記包装容器の作用を示す断面図である。
【図２５】上記包装容器の作用を示す斜視図である。
【図２６】罫線入りプラスチックシートを示す平面図である。
【図２７】上記包装容器の作製要領を示す斜視図である。
【図２８】上記包装容器の作製要領を示す斜視図である。
【図２９】本発明の包装容器のさらに他の実施の形態を示す斜視図である。
【図３０】罫線入りプラスチックシートを示す平面図である。
【図３１】従来の罫線入りプラスチックシートを示す平面図である。
【図３２】従来の包装容器を示す斜視図である。
【図３３】バージンシールを用いた包装容器の斜視図である。
【符号の説明】
１  クリアケース
１ａ  上面開口部
４  蓋板
９  上側突片
２１  接着剤層
【図１】
2005008269.tif 000003
【図２】
2005008269.tif 000004
【図３】
2005008269.tif 000005
【図４】
2005008269.tif 000006
【図５】
2005008269.tif 000007
【図６】
2005008269.tif 000008
【図７】
2005008269.tif 000009
【図８】
2005008269.tif 000010
【図９】
2005008269.tif 000011
【図１０】
2005008269.tif 000012
【図１１】
2005008269.tif 000013
【図１２】
2005008269.tif 000014
【図１３】
2005008269.tif 000015
【図１４】
2005008269.tif 000016
【図１５】
2005008269.tif 000017
【図１６】
2005008269.tif 000018
【図１７】
2005008269.tif 000019
【図１８】
2005008269.tif 000020
【図１９】
2005008269.tif 000021
【図２０】
2005008269.tif 000022
【図２１】
2005008269.tif 000023
【図２２】
2005008269.tif 000024
【図２３】
2005008269.tif 000025
【図２４】
2005008269.tif 000026
【図２５】
2005008269.tif 000027
【図２６】
2005008269.tif 000028
【図２７】
2005008269.tif 000029
【図２８】
2005008269.tif 000030
【図２９】
2005008269.tif 000031
【図３０】
2005008269.tif 000032
【図３１】
2005008269.tif 000033
【図３２】
2005008269.tif 000034
【図３３】
2005008269.tif 000035